(57)【要約】【課題】濃度変化が存する場所でサーマルヘッドの発熱抵抗体がバウンディングしてスジ発生の原因になるという課題を解決する。【解決手段】ライン方向に配列された発熱抵抗体１１と、これらの発熱抵抗体１１に通電を行うための通電パルス生成部３３とを具備し、通電パルスＰの入力を受けた発熱抵抗体１１がライン毎にドットを印画するように構成されるプリンタであって、同一ライン印刷時に、各発熱抵抗体１１に入力する通電パルスＰのタイミングをずらす制御を行う通電パルスタイミング制御部３３ａを更に設けることとした。【選択図】図１
2010240884.tif 000002
【特許請求の範囲】
【請求項１】
ライン方向に配列された発熱抵抗体と、これらの発熱抵抗体に通電を行うための通電パルス生成部とを具備し、通電パルスの入力を受けた発熱抵抗体がライン毎にドットを印画するように構成されるプリンタであって、
同一ライン印刷時に、各発熱抵抗体に入力する通電パルスのタイミングをずらす制御を行う通電パルスタイミング制御部を更に設けたことを特徴とするプリンタ。
【請求項２】
通電パルスタイミング制御部は、１ドット幅よりも幅狭なパルス幅のパルスを進み側又は遅れ側にシフトさせる制御を行うものである請求項１記載のプリンタ。
【請求項３】
通電パルスタイミング制御部は、発熱抵抗体を複数の組にグループ化して各組ごとに異なるタイミングで通電パルスを入力する制御を行うものである請求項１又は２何れかに記載のプリンタ。
【請求項４】
少なくとも隣り合う発熱抵抗体を異なる組にグループ化している請求項３記載のプリンタ。
【請求項５】
通電パルスタイミング制御部は、各発熱抵抗体にランダムなタイミングで通電パルスを入力する制御を行うものである請求項１又は２何れかに記載のプリンタ。
【請求項６】
発熱抵抗体ごとに設けられパルスパターンが記憶されるドライバと、ライン毎に発熱抵抗体のドライバにパルス出力のトリガーを与えるトリガー出力部とを有し、通電パルスタイミング制御部は、進み側、遅れ側に位相のずれたパルスパターンを前記ドライバに記憶させ、一斉にトリガーが入力されたドライバからタイミングのずれたパルスを発熱抵抗体に入力させるように構成される請求項１〜５何れかに記載のプリンタ。
【請求項７】
発熱抵抗体ごとに設けられ位相の揃ったパルスパターンが記憶されるドライバと、ライン毎に発熱抵抗体のドライバにパルス出力のトリガーを与えるトリガー出力部とを有し、通電パルスタイミング制御部は、発熱抵抗体のドライバに異なるタイミングでトリガーを入力するように構成される請求項１〜５何れかに記載のプリンタ。
【発明の詳細な説明】
【技術分野】
【０００１】
本発明は、発熱抵抗体へ通電するタイミングを制御することで、印刷結果にスジが発生する問題に善処したプリンタに関するものである。
【背景技術】
【０００２】
例えば、サーマルプリンタの一種である感熱式プリンタは、図８に示すように、熱を加えることで変色する用紙（感熱紙）４に対して、ライン方向（紙面垂直方向）に配列されたサーマルヘッド１の発熱抵抗体１１に用紙４を挟んでプラテンローラ２１を押し当て、これらの発熱抵抗体１１への通電を切替制御しつつ、フィードローラ２３等を通じた用紙搬送制御を行いながら用紙４上の対応位置にドットを印画するように構成される。
【０００３】
ところで、上記のような発熱抵抗体１１を用いて、例えば図９（ａ）に示すように、ライン方向に延びる濃色部Ｇ１、Ｇ２と薄色部Ｗ１とを矢印Ｘ方向に繰り返し印刷する場合、発熱抵抗体１１がバウンディングするという現象を生じる。この現象を浮き彫りにするために同図のようにラインと直交する濃色線Ｇを同時に印刷してみると、まず図９（ｂ）の上半部に示すように、濃色部Ｇ１と薄色部Ｗ１との境界線部分に対応する濃色線Ｇａ上に黒スジＺ１と白スジＺ２が前後して発生することが認められる。
【０００４】
これは、この種の感熱プリンタでは、印加する熱が大きくなるほど染料が軟化して用紙表面の摩擦抵抗が小さくなる傾向にあるためで、発熱抵抗体１１を用紙４に摺接させながら印刷を行う際、濃色部Ｇ１における摩擦抵抗よりも薄色部Ｗ１における摩擦抵抗が大きいため、発熱抵抗体１１が濃色部Ｇ１から薄色部Ｗ１に進入した際に薄色部Ｗ１の摩擦抵抗により引っ掛かった状態となって一時的に遅れ、その部位が集中的に印画されて黒スジＺ１が発生するとともに、その後、発熱抵抗体１１が用紙４上を遅れのない位置まで振れ戻る際にバウンディングして白スジＺ２が発生するものである。
【０００５】
さらにその後、発熱抵抗体１１が薄色部Ｗ１から濃色部Ｇ２に進入した際には、薄色部Ｗ１における摩擦抵抗が消失するため、発熱抵抗体１１が用紙４上を遅れのない位置まで振れ戻る際に再びバウンディングして白スジＺ３が発生することが認められる。
【０００６】
下記の特許文献１、２には、この種の課題を解決する上で参考になる構成が開示されている。
【先行技術文献】
【特許文献】
【０００７】
【特許文献１】特開２００２−２９０７８号公報
【特許文献２】特開２００２−６７３７０号公報
【発明の概要】
【発明が解決しようとする課題】
【０００８】
ところが、特許文献１のものは、印刷用紙の所定範囲を印刷するために必要な熱の大きさを算出し、画像データの大きさに応じて印刷用紙の搬送速度を変化させる制御を行うものであり、特許文献２のものは、１ライン分の各画素の画像データを感熱記録紙に与えるべき印画エネルギーにそれぞれ変換し、感熱記録紙に対する各発熱素子毎の動摩擦係数と印画エネルギーとの関係を示すテーブル及び感熱記録紙に対する各発熱素子毎の押圧分布を示すテーブルを参照して、各ライン毎にサーマルヘッドにかかる負荷量を算出し、ｉラインの負荷量とその前の（ｉ−１）ラインの負荷量との差からｉラインの負荷変動量を求め、ｉラインの前後の負荷変動量に応じてｉラインの各印画エネルギーを補正するものである。このため、何れも画像データに準拠した複雑な制御を必要とするという問題がある。
【０００９】
そこで、検討してみると、従来の印刷制御は、図１０に示すように、ライン毎に通電パルス生成部から発熱抵抗体１１に対して全て同じタイミングで通電パルスＰを入力するようにしているため、ドット開始位置ｄａとドット終了位置ｔ１が揃い、負荷変動が大きく現われているものと考えられる。
【００１０】
この場合、図示に明らかなように、この種のプリンタは１ドット幅Ｗｄの全てに対して通電しているのではなく、パルス幅τ０はドット幅Ｗｄよりも狭く、主として前半で通電するようにしており、人間の目に殆ど認識されない範囲で熱的ヒステリシスによるドットの重なりを防いでいるものである。
【００１１】
そこで、１ドット幅Ｗｄの間で通電のタイミングをずらせば、発熱抵抗体１１の負荷変動が緩和されて、上記のようなバウンディング現象の対策になると考えられる。
【００１２】
本発明は、このような着眼に立って、濃度変化が存する場所でサーマルヘッドの発熱抵抗体がバウンディングしてスジ発生の原因になるという上記の課題を簡易な手法により有効に解消したプリンタを新たに提供することを目的としている。
【課題を解決するための手段】
【００１３】
本発明は、かかる目的を達成するために、次のような手段を講じたものである。
【００１４】
すなわち、本発明のプリンタは、ライン方向に配列された発熱抵抗体と、これらの発熱抵抗体に通電を行うための通電パルス生成部とを具備し、通電パルスの入力を受けた発熱抵抗体がライン毎にドットを印画するように構成されるプリンタであって、同一ライン印刷時に、各発熱抵抗体に入力する通電パルスのタイミングをずらす制御を行う通電パルスタイミング制御部を更に設けたことを特徴とする。
【００１５】
このような通電パルスタイミング制御部を新たに設けることで、全ての発熱抵抗体に対して同時に通電開始や通電終了がなされることが回避されるので、濃度変化の存する境界付近における負荷変動が適度に分散させられることになる。つまり、濃色部から薄色部に移行する境界付近では、急激な摩擦力の増大による発熱抵抗体の引っ掛かりが緩和され、逆に薄色部から濃色部に移行する境界付近では、急激な摩擦力の消失による発熱抵抗体の振れ戻しが緩和され、何れもバウンディングの原因となる大きな負荷変動が回避されて、スジの発生が効果的に防止されることとなる。
【００１６】
プリント結果に影響を及ぼさずにこのような制御を実現するためには、通電パルスタイミング制御部が１ドット幅よりも幅狭なパルス幅のパルスを進み側又は遅れ側にシフトさせる制御を行うことが望ましい。
【００１７】
通電パルスを発熱抵抗体に効果的に入力するための具体的な手法として、通電パルスタイミング制御部は、発熱抵抗体を複数の組にグループ化して各組ごとに異なるタイミングで通電パルスを入力する制御を行うことが望ましい。
【００１８】
この場合、負荷分散を最適化するためには、少なくとも隣り合う発熱抵抗体を異なる組にグループ化していることが有効である。
【００１９】
更に、負荷分散の制御をより簡単な手法で実現するためには、通電パルスタイミング制御部は、各発熱抵抗体にランダムなタイミングで通電パルスを入力する制御を行うことも望ましい。
【００２０】
通電パルスタイミング制御部を導入する際の具体的な実施の態様としては、発熱抵抗体ごとに設けられパルスパターンが記憶されるドライバと、ライン毎に発熱抵抗体のドライバにパルス出力のトリガーを与えるトリガー出力部とを有し、通電パルスタイミング制御部は、進み側、遅れ側に位相のずれたパルスパターンを前記ドライバに記憶させ、一斉にトリガーが入力されたドライバからタイミングのずれたパルスを発熱抵抗体に入力させるように構成したものが挙げられる。
【００２１】
通電パルスタイミング制御部を導入する際の他の具体的な実施の態様としては、発熱抵抗体ごとに設けられ位相の揃ったパルスパターンが記憶されるドライバと、ライン毎に発熱抵抗体のドライバにパルス出力のトリガーを与えるトリガー出力部とを有し、通電パルスタイミング制御部は、発熱抵抗体のドライバに異なるタイミングでトリガーを入力するように構成したものが挙げられる。
【発明の効果】
【００２２】
本発明は以上説明した構成を通じて、印画濃度の変化する画像を印画するに際し、画像データに準拠することなく、各発熱抵抗体に濃度の異なる場所で負荷変動が一斉に起こることによるバウンディングを回避して、スジの発生を効果的に抑止することができる。このため、安価かつ簡便に印画品質の向上を図ることができるという優れた効果が奏される。
【図面の簡単な説明】
【００２３】
【図１】本発明の一実施形態に係るプリンタの制御要素を示すブロック図。
【図２】同実施形態の通電パルスタイミング制御部やドライバなどの構成を示す模式図。
【図３】同実施形態の各発熱抵抗体の通電タイミングを示す模式図。
【図４】同実施形態の処理手順を示すフローチャート。
【図５】本発明の他の実施形態に係る制御要素を示すブロック図
【図６】同実施形態の通電パルスタイミング制御部などの構成を示す模式図。
【図７】同実施形態の処理手順を示すフローチャート。
【図８】従来技術に係る用紙搬送機構の模式図。
【図９】従来技術の課題を示す印画結果の模式図。
【図１０】従来技術における、各発熱抵抗体の通電タイミングを示す模式図。
【発明を実施するための形態】
【００２４】
以下、本発明の一実施形態を、図面を参照して説明する。
【００２５】
この実施形態における感熱式プリンタは、図１に示すように、発熱抵抗体１１をライン方向（図１（ｂ）における紙面垂直方向）に配列したサーマルヘッド１と、このサーマルヘッド１においてプリントに供される用紙４を搬送する搬送機構２と、外部から入力される画像データに基づき前記搬送機構２との同期の下に前記サーマルヘッド１の発熱抵抗体１１に印刷信号である通電パルスＰを入力する制御部３とを具備する。
【００２６】
サーマルヘッド１には、当該サーマルヘッド１の発熱抵抗体１１に適度に押圧されるプラテンローラ２１が用紙４を介し対向配置されて、印刷部を構成する。
【００２７】
搬送機構２は、前記プラテンローラ２１から所要距離を隔てて配置した対をなすピンチローラ２２及びフィードローラ２３を具備し、ピンチローラ２２とフィードローラ２３の間に用紙４を挟み込んだ状態で制御部３からの制御により用紙４をＸ方向へ搬送する。
【００２８】
制御部３は、ＣＰＵやメモリ、インターフェース等を備えた通常のマイクロコンピュータユニットにより構成されるもので、メモリ内には適宜の制御プログラムが格納されており、ＣＰＵは逐次その制御プログラムを読み込んで、図１（ａ）に示す入力バッファ３１、プリント用画像データ生成部３２、通電パルス生成部３３等を制御する。この制御プログラムには、サーマルヘッド１の発熱抵抗体１１へ入力するための通電パルスＰと同期をとりながら、上記フィードローラ２３及びピンチローラ２２を含む搬送機構２を駆動する内容が少なくとも含まれている。
【００２９】
入力バッファ３１には、外部から入力される印刷データが一時的に蓄積される。
【００３０】
プリント用画像生成部３２は、入力バッファ３１から入力された印刷データを感熱式プリンタに対応したプリント用画像データに変換する。
【００３１】
通電パルス生成部３３には、プリント用画像データ生成部３２から入力されたプリント用画像データを元に、制御部３からの制御信号を受けて印刷信号に含まれる階調値（濃度）に応じた通電パルスＰを生成する。この通電パルス生成部３３は、パルスジェネレータ３３１およびパルスパターン保持部３３２によってバックアップされている。パルスジェネレータ３３１は、通電パルス生成部３３により発熱抵抗体１１へパルス通電を行う際に基準となるパルスを生成する。パルスパターン保持部３３２は、プリントする階調値（濃度）に応じたパルスパターンを予め記憶している。
【００３２】
従来では、この通電パルスＰがサーマルヘッド１の発熱抵抗体１１へ一斉に供給されていたため、印刷時には、図９に示すように、発熱抵抗体１１の負荷変動が一斉に起こることに起因して前述のバウンディングの不具合が発生していた。
【００３３】
そこで本実施形態では、この種のプリンタが１ドットの印画中に常時通電しているのではなく、図１０に示したように主としてドットの前半で通電し、後半に通電されない領域があった点に着目して、同一ライン印刷時に、図１に示す各発熱抵抗体１１に入力する通電パルスＰのタイミングをずらす制御を行う通電パルスタイミング制御部３を更に設けている。
【００３４】
具体的には、図２に示すように、通電パルス生成部３３で生成したパルスパターンはドライバ３４に書き込まれ、制御部３の一部を構成するトリガー出力部３ａからのトリガーＴを待ってサーバルヘッド１の発熱抵抗体１１に供給される。そして、その通電パルス生成部３３の一部に通電パルスタイミング制御部３３ａを設け、通電パルスＰを生成する際に進み側、遅れ側に位相のずれたパルスパターンを生成して、前記ドライバ３４に記憶させるようにしている。より具体的には、少なくとも隣り合う発熱抵抗体１１が異なる組に属するように、発熱抵抗体１１を奇数番目１１の組１１ａと偶数番目の組１１ｂの２グループに分け、前者を担当するドライバ３４ａに進み側に位相のずれたパルスパターンを書き込むとともに、後者を担当するドライバ３４ｂに遅れ側に位相のずれたパルスパターンを書き込むようにしている。
【００３５】
これに対して、トリガー出力部３ａは、全てのドライバ３４に対して一斉にトリガーＴを入力するように構成される。
【００３６】
図３は、これにより発熱抵抗体１１ａ、１１ｂに印加される通電パルスの様子を示している。横軸のｄａからｄｂまでは１ドット幅であり、通電パルスのパルス幅τ１はこれよりも幅狭である。奇数番目の発熱抵抗体１１ａ（１）、１１ａ（３）…には進み側の位相をもった通電パルスＰａが入力されることにより、ｔ０からｔ２まで通電され、偶数番目の発熱抵抗体１１ｂ（２）、１１ｂ（４）には遅れ側の位相をもった通電パルスＰｂが入力されることにより、ｔ１からｔ３まで通電され、何れも通電パルス幅τ１は同一である。これにより、通電開始タイミングがｔ０とｔ１に二分され、通電終了タイミングがｔ２とｔ３に二分されて、図９に示した薄色部Ｇ３１から濃色部Ｗ１に移行する際も、濃色部Ｗ１から薄色部Ｇ２に移行する際も、バウンディングの原因となっていた負荷変動がそれぞれ半減されることとなる。
【００３７】
図４のＡからＢまでは、１ライン分を印刷するにあたり、通電パルス生成部３３における通電パルスＰａ、Ｐｂの生成から発熱抵抗体１１ａ、１１ｂへの通電パルスの入力までを司る制御部３による実行ステップを示す。
【００３８】
最初に、通電パルス生成部３３は通電タイミングをずらした通電パルスＰａ、Ｐｂをそれぞれ生成し（ステップＳ２１），ドライバ３４ａ、３４ｂにそれぞれ書き込む（ステップＳ２２）。ドライバ３４ａ、３４ｂは、一時的に通電パルスＰａ、Ｐｂを保持し（ステップＳ２３）、制御部３のトリガー出力部３ａから一斉にトリガーＴにドライバ３４ａ、３４ｂに入力して（ステップＳ２７）、ドライバ３４ａ、３４ｂが通電パルスＰａ、Ｐｂを発熱抵抗体１１ａ、１１ｂに入力して用紙４へ印画する（ステップＳ２５）。このとき、通電パルスＰａ、Ｐｂは図３に示すように位相、したがって通電開始と通電終了のタイミングがずれていることから、負荷変動が半減することとなる。
【００３９】
以上のように、本実施形態のプリンタは、ライン方向に配列された発熱抵抗体１１と、これらの発熱抵抗体１１に通電を行うための通電パルス生成部３３とを具備し、通電パルスＰの入力を受けた発熱抵抗体１１がライン毎にドットを印画するように構成されるプリンタであって、同一ライン印刷時に、各発熱抵抗体１１ａ、１１ｂに入力する通電パルスのタイミングをずらす制御を行う通電パルスタイミング制御部３３ａを更に設けたものである。
【００４０】
このような通電パルスタイミング制御部３３ａを新たに設けることで、全ての発熱抵抗体１１に対して同時に通電開始や通電終了がなされることが回避されるので、濃度変化の存する境界付近における負荷変動が適度に分散させられることになる。つまり、図９に示した濃色部Ｇ１から薄色部Ｗ１に移行する境界付近では、急激な摩擦力の増大による発熱抵抗体１１の引っ掛かりが緩和され、逆に薄色部Ｗ１から濃色部Ｇ２に移行する境界付近では、急激な摩擦力の消失による発熱抵抗体１１の振れ戻しが緩和され、何れもバウンディングの原因となる大きな負荷変動が回避されて、スジＺ１〜Ｚ３の発生が効果的に防止されることとなる。しかも、画像データに準拠することがないので、制御が一律で簡単であり、安価かつ簡便に印画品質の向上を図ることができるという優れた効果を奏することができる。
【００４１】
具体的には、通電パルスタイミング制御部３３ａは、１ドット幅Ｗｄよりも幅狭なパルス幅τ１のパルスＰａ、Ｐｂを生成して進み側又は遅れ側にシフトさせる制御を行うものであるが、このような幅狭なパルスは従来より熱的ヒステリシスによるドットの重なりを防ぐために生成されているものであり、本実施形態ではその位相をシフトさせるだけであるため、制御は更に簡単に行い得るものとなる。
【００４２】
また、通電パルスタイミング制御部３３ａは、発熱抵抗体１１を複数の組１１ａ、１１ｂにグループ化して各組ごとに異なるタイミングで通電パルスＰａ、Ｐｂを入力する制御を行うようにしているので、グループ単位で簡単にタイミングを設定することができ、設計を容易ならしめることができる。
【００４３】
特に、この実施形態では少なくとも隣り合う発熱抵抗体１１を異なる組（奇数番目の組１１ａと偶数番目の組１１ｂ）にグループ化しているので、隣接する発熱抵抗体１１ａ、１１ｂは全てドット印刷のタイミングがずらされることになり、ライン方向の全域で負荷を均質に分散させて最適化を図ることができる。
【００４４】
そして、通電パルスタイミング制御部３３ａを具体的に導入する態様として、発熱抵抗体１１ごとに設けられパルスパターンが記憶されるドライバ３４と、ライン毎に発熱抵抗体１１のドライバ３４にパルス出力のトリガーＴを与えるトリガー出力部３ａとを設け、通電パルスタイミング制御部３３ａが、進み側、遅れ側に位相のずれたパルスパターンを前記ドライバ３４に記憶させ、一斉にトリガーＴが入力されたドライバ３４からタイミングのずれたパルスを発熱抵抗体１１に入力させるようにしているので、既存のプリンタに対して基本的に通電パルス生成部３３の一部の変更のみで実現することができ、本発明を平易に採用することが可能となる。
【００４５】
以上、本発明の一実施形態について説明したが、各部の具体的な構成は、上述した実施形態のみに限定されるものではない。
【００４６】
例えば、図５及び図７に示すように、通電パルス生成部が通電パルスＰ１、Ｐ２，Ｐ３，Ｐ４を生成後（図７：ステップＳ３１）、発熱抵抗体１１（１）、１１（２）、１１（３）、１１（４）、……ごとに設けられるドライバ３４（１）、３４（２）、３４（３）、３４（４）、……にそれら位相の揃ったパルスパターンを記憶、保持させておき（図７：ステップＳ３２、Ｓ３３）、ライン毎に発熱抵抗体１１（１）、１１（２）、１１（３）、１１（４）、……のドライバ３４（１）、３４（２）、３４（３）、３４（４）、……にパルス出力のトリガーＴ１、Ｔ２、Ｔ３、Ｔ４、……を与えるトリガー出力部３ａを制御部３に設けた通電パルスタイミング制御部３ｂ（図５参照）により制御して、各発熱抵抗体１１（１）、１１（２）、１１（３）、１１（４）、……のドライバ３４（１）、３４（２）、３４（３）、３４（４）、……に異なるタイミングでトリガーＴ１、Ｔ２、Ｔ３、Ｔ４、……を入力するように構成してもよい（ステップＳ３４）。その後、ドライバ３４（１）、３４（２）、３４（３）、３４（４）…が各タイミングで通電パルスＰ１，Ｐ２，Ｐ３，Ｐ４…を対応する発熱抵抗体１１（１）、１１（２）、１１（３）、１１（４）…に入力して用紙４に印画することとなる。
【００４７】
この場合も、通電パルス生成部３３に、図６に示すように、１ドット幅Ｗｄよりも幅狭なパルス幅τ２のパルスＰを生成させ、通電パルスタイミング制御部３ｂがトリガー出力部３ａを制御して各発熱抵抗体１１（１）、１１（２）、１１（３）、１１（４）、……に１ドット幅Ｗｄの範囲で例えばランダムにタイミングをずらしてトリガーＴ１、Ｔ２、Ｔ３、Ｔ４、……を入力させるように構成すれば、１ドット幅Ｗｄの最初から通電が開始される通電パルスＰ１や、１ドット幅１Ｗｄの最後に通電が停止される通電パルスＰ４、その間の適宜の位置で通電が行われる通電パルスＰ２、Ｐ３など、様々な通電の態様が発生して、種々のタイミングで発熱抵抗体１１（１）、１１（２）、１１（３）、１１（４）、……に通電パルスの入力がなされるようになる。
【００４８】
このように、制御部３側でトリガーＴ１、Ｔ２、Ｔ３、Ｔ４、……のタイミングを制御する手法によっても、上記と同様に全ての発熱抵抗体１１（１）、１１（２）、１１（３）、１１（４）、……に対して同時に通電開始や通電終了がなされることが回避されるので、濃度変化の存する境界付近における負荷変動を適度に分散して、バウンディングの原因となる大きな負荷変動を回避し、図９に示したスジＺ１〜Ｚ３の発生を効果的に防止することができる。しかも、画像データに準拠することがないので、制御が一律で簡単であり、安価かつ簡便に印画品質の向上を図ることができるという優れた効果が奏されるものとなる。
【００４９】
特に、制御部３においてトリガー出力部３ａからトリガーＴ１、Ｔ２、Ｔ３、Ｔ４、……をランダムに出力させるようにすれば、乱数等を用いて成り行きで制御を行うことができるので、上記実施形態よりも更に簡素に本発明を実現することができる。
【００５０】
勿論、このようなトリガー出力部３ａからのトリガー出力のタイミングを少なくとも隣り合う発熱抵抗体（例えば奇数番目の組と偶数番目の組）で異ならせれば、図３に示したと同様の作用効果を得ることができるし、逆に図２の構成に代えて各発熱抵抗体１１ａ、１１ｂのドライバ３４ａ、３４ｂにランダムに位相のずれた通電パルスＰａ、Ｐｂを書き込めば、一斉にトリガーＴが入力された際に図６に準じて異なるタイミングで各発熱抵抗体に通電パルスＰを入力することができる。勿論、隣り合う発熱抵抗体を異なる組にグループ化する態様は、奇数、偶数の組み合わせに限らない。
【００５１】
また、以上の実施形態は感熱式プリンタを例にとって説明したが、プリンタの一種でインクリボンを用いた昇華型プリンタ等にも適応できるのは勿論である。
【００５２】
その他の構成も、本発明の趣旨を逸脱しない範囲で種々変形が可能となる。
【符号の説明】
【００５３】
３…制御部
３ａ…トリガー出力部
３ｂ…通電パルスタイミング制御部
１１…発熱抵抗体
１１ａ…発熱抵抗体奇数番目の組
１１ｂ…発熱抵抗体偶数番目の組
３３ａ…通電パルスタイミング制御部
３４…ドライバ
ｄａ…ドット開始位置
ｄｂ…ドット終了位置
Ｐ…通電パルス
Ｔ…トリガー
Ｗｄ…ドット幅
τ０…パルス幅
τ１…パルス幅
τ２…パルス幅
【図１】
2010240884.tif 000003
【図２】
2010240884.tif 000004
【図３】
2010240884.tif 000005
【図４】
2010240884.tif 000006
【図５】
2010240884.tif 000007
【図６】
2010240884.tif 000008
【図７】
2010240884.tif 000009
【図８】
2010240884.tif 000010
【図９】
2010240884.tif 000011
【図１０】
2010240884.tif 000012